(57)【要約】  【課題】  簡単で確実な構成で、送風ファンに泡が浸入しないようにして、ファンの動作不良やファンモーターの電気絶縁性能不良の発生を未然に防止することが可能な、食器洗い乾燥機を提供する。  【解決手段】  洗浄槽２１内で発生した泡は、第１送風ダクト２３を経て第２送風ダクト２０内に滞留する。一方、ヒーター４で加熱された洗浄水により、洗浄庫２内の空気も加熱され膨張する。そして、第２送風ダクト２０内に滞留した泡が、洗浄庫２内の膨張した空気に押されて、送風ファン１９方向へ進行する。これを防ぐため、第１送風ダクト２３と第２送風ダクト２０との接合部ａより少し上方に、第２送風ダクト２０と洗浄庫２内とを連通する排出口２７を設け、ここから矢印Ｄで示すように泡を洗浄庫２内へ排出する構成としている。このため、第２送風ダクト２０内の泡は、これ以上先の送風ファン１９側へは浸入しない。【選択図】      図２
2005074181.tif 000002
【特許請求の範囲】
【請求項１】
洗浄庫と、該洗浄庫に空気を送風する送風ファンと、該送風ファンからの空気を前記洗浄庫内に導く送風ダクトとを備えた食器洗い乾燥機において、
前記送風ダクトに、前記洗浄庫の下部に設けた洗浄槽から前記送風ダクト内に浸入した泡を排出する排出口を設けたことを特徴とする食器洗い乾燥機。
【請求項２】
前記洗浄槽に接続される第１の送風ダクトと、該第１の送風ダクトと前記送風ファンを連通する第２の送風ダクトとを備え、前記第１の送風ダクトと前記第２の送風ダクトの接合部より上方に、前記第２の送風ダクトと前記洗浄庫内とを連通する前記排出口を設けたことを特徴とする請求項１に記載の食器洗い乾燥機。
【発明の詳細な説明】
【技術分野】
【０００１】
本発明は、ファンにより洗浄槽内に送風を行う構成の食器洗い乾燥機に関するものである。
【背景技術】
【０００２】
図３は、従来の食器洗い乾燥機の縦断面図である。同図に示すように、従来の食器洗い乾燥機は、食器洗い乾燥機本体１内に洗浄庫２が設けられており、下部には洗浄槽２１を備えている。また、洗浄槽２１の下方には、洗浄槽２１内の洗浄水を循環させる洗浄ポンプ７を備え、洗浄ポンプ７をモーター８により回転駆動するようにしている。また、洗浄槽２１の底部には残菜フィルター５が配置されている。
【０００３】
この残菜フィルター５を経て下方に吸い込まれた洗浄水は、洗浄ポンプ７により加圧され、洗浄ポンプ７から上方へ突設して洗浄槽２１内へと延びる洗浄ノズル１１より噴出し、洗浄庫２内の食器かご３に収納された食器類６を洗浄する構成となっている。そして、洗浄水は洗浄槽２１内に設けられたヒーター４により加熱されるようになっている。このとき、洗浄庫２の後方に設けられた送風経路１０に洗浄槽からの泡が浸入するのを防ぐため、洗浄槽へと開口する送風口２４に設けたダンパー９を閉じた状態とする。
【０００４】
一方、乾燥手段として、洗浄庫２の後方にはモーター１２により駆動される送風ファン１９を備えており、乾燥時には前記ダンパー９を開放し、この送風ファン１９から前記送風経路１０を通して、送風口２４より外気を洗浄槽２１内に送風し、また前記ヒーター４で食器類６及び洗浄槽２１内の気体温度を上昇させ、食器類６及び洗浄槽２１内に付着している水滴の蒸発を促進させる構成としている。また、洗浄槽２１内の水蒸気は洗浄庫２の前面上部に設けた排気口１４より排出するようにしている。
【０００５】
このように、従来は、洗浄槽内で発生した泡が送風ダクト内に浸入するのを防止するためにダンパーを設けており、これにより、送風ファン側に泡が浸入しないようにして、送風ファンの動作不良やファンモーターの電気絶縁性能不良の発生を防止していた。
【０００６】
また、従来の食器洗い乾燥機における、水蒸気が送風経路に浸入することを防止する構成のものが開示されている（例えば、特許文献１参照。）。
【特許文献１】特開平３−２１５２３６号公報
【発明の開示】
【発明が解決しようとする課題】
【０００７】
しかしながら、上述したような従来の構成では、ダンパーが正常に動作を行わない場合や、送風口における密着性が不十分であった場合は、送風経路を遮断するという本来の機能を十分に発揮することができない状態になる。このため、洗浄槽内で発生した泡が送風ダクト内に浸入し、ひいては送風ファン側に浸入することになる。そして、送風ファンの動作不良やファンモーターの電気絶縁性能不良が生じることになる。その他、ダンパーを設けることにより部品点数が増え、コストアップや信頼性低下の要因となる。
【０００８】
本発明は、以上のような問題点に鑑み、簡単で確実な構成で、送風ファンに泡が浸入しないようにして、ファンの動作不良やファンモーターの電気絶縁性能不良の発生を未然に防止することが可能な、食器洗い乾燥機を提供することを目的とする。
【課題を解決するための手段】
【０００９】
上記目的を達成するために、本発明では、洗浄庫と、その洗浄庫に空気を送風する送風ファンと、その送風ファンからの空気を前記洗浄庫内に導く送風ダクトとを備えた食器洗い乾燥機において、前記送風ダクトに、前記洗浄庫の下部に設けた洗浄槽から前記送風ダクト内に浸入した泡を排出する排出口を設けている。
【００１０】
具体的には、前記洗浄槽に接続される第１の送風ダクトと、その第１の送風ダクトと前記送風ファンを連通する第２の送風ダクトとを備え、前記第１の送風ダクトと前記第２の送風ダクトの接合部より上方に、前記第２の送風ダクトと前記洗浄庫内とを連通する前記排出口を設けた構成としている。
【００１１】
この構成によれば、洗浄中に前記洗浄槽内の送風口から送風ファン方向に逆流した泡は、排出口から洗浄庫内へ排出されるので、送風ダクト内部の泡の滞留は軽減され、送風ファンに泡が浸入するのを防止することができる。
【発明の効果】
【００１２】
本発明によれば、簡単で確実な構成で、送風ファンに泡が浸入しないようにして、ファンの動作不良やファンモーターの電気絶縁性能不良の発生を未然に防止することが可能な、食器洗い乾燥機を提供することができる。
【００１３】
具体的には、洗浄槽内から送風ダクト内に浸入した泡を、送風ダクトと洗浄庫とを連通する排気口から洗浄庫内へ排出する構成としたことにより、送風ダクト内の泡が送風ファンへ浸入することが防止される。
【発明を実施するための最良の形態】
【００１４】
以下、本発明の実施の形態について、図面を参照しながら説明する。なお、前記従来技術と共通する部分には同一の符号を付して、詳細な説明を適宜省略する。
【実施例１】
【００１５】
図１は、本発明の実施例１に係る食器洗い乾燥機の背部概略断面図であり、図２は、図１のｂ−ｂ断面図である。これらの図に示すように、洗浄庫２後方に設けられた第２送風ダクト２０は逆Ｕ字型となっており、その一端にモーター一体型の送風ファン１９が接続され、他端には第１送風ダクト２３が接続されている。そして、第１送風ダクト２３先端では、洗浄槽２１に向かって送風口２４が開口している。
【００１６】
なお、矢印Ａは送風の流れ方向、矢印Ｂは洗浄槽２１内で発生した高湿度空気の流れ方向を示している。ここで、２２は高湿度空気を排気する通気口である。また矢印Ｃは、送風ファン１９による吸気の方向を示している。その他、食器洗い乾燥機本体１底部には、水道水を機内に供給するための給水ポンプ１５及び給水パイプ１６が設けられており、給水パイプ１６の先端では、第２送風ダクト２０内に給水口１７が開口している。
【００１７】
ここで、食器類６を洗浄庫２内に収納される食器かご３に入れ、洗浄庫２内で洗浄中に、高温水が洗浄槽２１に滞留して、送風ファン１９が動作しない（停止中）状態を想定する。このとき、洗浄槽２１内で発生した泡は、第１送風ダクト２３を経て第２送風ダクト２０内に滞留する。一方、ヒーター４で加熱された洗浄水により、洗浄庫２内の空気も加熱され膨張する。そして、第２送風ダクト２０内に滞留した泡が、洗浄庫２内の膨張した空気に押されて、送風ファン１９方向へ進行する。
【００１８】
これを防ぐため、第１送風ダクト２３と第２送風ダクト２０との接合部ａより少し上方に、第２送風ダクト２０と洗浄庫２内とを連通する排出口２７を設け、ここから矢印Ｄで示すように泡を洗浄庫２内へ排出する構成としている。このため、第２送風ダクト２０内の泡は、これ以上先の送風ファン１９側へは浸入しない。これにより、送風ファン１９への泡の浸入を防ぎ、送風ファン１９の動作不良や電気絶縁性能不良の発生を防止できる。
【図面の簡単な説明】
【００１９】
【図１】本発明の実施例１に係る食器洗い乾燥機の背部概略断面図。
【図２】図１のｂ−ｂ断面図。
【図３】従来の食器洗い乾燥機の縦断面図。
【符号の説明】
【００２０】
１    食器洗い乾燥機本体
２    洗浄庫
３    食器かご
４    ヒーター
５    残菜フィルター
６    食器類
７    洗浄ポンプ
８    モーター
９    ダンパー
１０    送風経路
１１    洗浄ノズル
１２    モーター
１４    排気口
１５    給水ポンプ
１６    給水パイプ
１７    給水口
１９    送風ファン
２０    第２送風ダクト
２１    洗浄槽
２２    通気口
２３    第１送風ダクト
２４    送風口
２７    排出口
【図１】
2005074181.tif 000003
【図２】
2005074181.tif 000004
【図３】
2005074181.tif 000005